(57)【要約】      （修正有）【課題】巻尺テープと水位センサーからなる水位計において、井戸の内壁面等に密着して貼り付くことなく、センサー部を水面まで下ろすことができると共に、１ｃｍ又は１０ｃｍ毎の詳細な水位測定を可能とする水位計を提供する。【解決手段】長尺な巻尺線状体１と、巻尺線状体１の先端部に設けられたセンサー部２と、センサー部が水面に接した際に報知する報知部３とを備え、巻尺線状体１は、断面形状が円形状に構成されており、長さ方向に沿って１ｃｍ又は１０ｃｍ毎に目盛を標記する。【選択図】図１
0003148373.tif 000002
【実用新案登録請求の範囲】
【請求項１】
長尺な巻尺線状体と、前記巻尺線状体の先端部に設けられたセンサー部と、前記センサー部が水面に接した際に報知する報知部とを備えた水位計において、
前記巻尺線状体は、断面形状が円形状に構成されており、且つ長さ方向に沿って１ｃｍ又は１０ｃｍ毎に目盛が標記されていることを特徴とする水位計。
【請求項２】
前記目盛は、前記巻尺線状体の周面にプリントされていることを特徴とする請求項１に記載の水位計。
【請求項３】
前記巻尺線状体は、長さ方向に沿って１ｍ毎に赤色の目盛が標記されていることを特徴とする請求項１又は２のいずれかに記載の水位計。
【請求項４】
前記巻尺線状体を巻き取るための巻取部と、前記巻取部を回転するためのレバー部とを備えることを特徴とする請求項１〜３のいずれかに記載の水位計。
【考案の詳細な説明】
【技術分野】
【０００１】
本考案は、井戸や掘削孔等の水位を測定するための水位計に関するものである。
【背景技術】
【０００２】
水位計は、井戸、掘削孔、ダム等の水面位置を地表面から測定するものである。水位計は、巻尺テープと、巻尺テープの先端部に設けたセンサー部と、センサー部が水面に接した際に報知する報知部とを備える（特許文献１〜３等参照）。センサー部は電極を備えており、センサー部が水面に接した際に、電流が流れて報知部からアラームが鳴ったりランプが点灯して報知する。使用者は、巻尺テープを持ってセンサー部を水面に向けて下ろし、センサー部が水面に接して報知部が報知した際に、巻尺テープの目盛を読むことで、水位を測定することができる。
【０００３】
従来の水位計では、巻尺テープは断面が平らな形状になっているので、井戸や掘削孔等に巻尺テープを垂らす際に、井戸の内壁面等に巻尺テープが密着して貼り付いてしまい、水面までセンサー部を下ろすことができないことがあった。そのため、センサー部に錘を取付けて、巻尺テープが貼り付いても、錘の重さによって水面までセンサー部を下ろしていた。しかし、錘の重さで巻尺テープに負荷が掛かり寿命が短くなっていた。
【０００４】
そこで、巻尺テープの断面形状を円形状として、巻尺テープと井戸等の内壁面との接触面積を小さくした水位計がある。これにより、井戸の内壁面等に貼り付くことなく、センサー部を水面まで下ろすことができる。しかし、この水位計では、巻尺テープは１ｍ毎に目盛が標記されているだけで、１ｃｍ又は１０ｃｍ毎の詳細な測定ができなかった。
【特許文献１】実開平２−５９４３５号公報
【特許文献２】実用新案登録第３０２０９３８号公報
【特許文献３】特開２００２−３１８１５０号公報
【考案の開示】
【考案が解決しようとする課題】
【０００５】
そこで、本考案が解決しようとする課題は、井戸の内壁面等に密着して貼り付くことなく、センサー部を水面まで下ろすことができると共に、１ｃｍ又は１０ｃｍ毎の詳細な水位測定が可能な水位計を提供することである。
【課題を解決するための手段】
【０００６】
本考案に係る水位計は、
長尺な巻尺線状体と、巻尺線状体の先端部に設けられたセンサー部と、センサー部が水面に接した際に報知する報知部とを備え、
巻尺線状体は、断面形状が円形状に構成されており、且つ長さ方向に沿って１ｃｍ又は１０ｃｍ毎に目盛が標記されている。
【０００７】
好ましくは、目盛は、巻尺線状体の周面にプリントされている。
【０００８】
好ましくは、巻尺線状体は、長さ方向に沿って１ｍ毎に赤色の目盛が標記されている。
【０００９】
好ましくは、巻尺線状体を巻き取るための巻取部と、巻取部を回転するためのレバー部とを備える。
【考案の効果】
【００１０】
上記の通り、本考案に係る水位計では、巻尺線状体は、断面形状が円形状に構成されているので、井戸の内壁面等に密着することなく、センサー部を水面まで下ろすことができ、さらに、長さ方向に沿って１ｃｍ又は１０ｃｍ毎に目盛が標記されているので、１ｃｍ又は１０ｃｍ毎の詳細な水位測定ができる。
【考案を実施するための最良の形態】
【００１１】
以下、添付図面に基づいて、本考案に係る水位計について説明する。
【００１２】
図１は、本考案に係る水位計を示す斜視図である。図２は、巻尺線状体を示す図であって、（Ａ）は１ｃｍ及び１０ｃｍ毎の目盛を示す拡大図、（Ｂ）は１ｍ毎の目盛を示す拡大図、（Ｃ）は（Ａ）のＩ−Ｉ線断面図である。図３は、センサー部を示す断面図である。
【００１３】
図１の通り、水位計は、巻尺線状体１を備える。巻尺線状体１は、例えば、３０ｍ〜２００ｍの長さで構成される。巻尺線状体１の先端部には、センサー部２が取付けられる。水位計は、巻取部４を備える。巻取部４は、巻尺線状体１を巻取り可能とする。巻取部４は、レバー部５を備え、レバー部５を介して回転可能である。水位計は、報知部３を備える。報知部３は、巻尺線状体１に接続される。
【００１４】
図２（Ａ）及び（Ｂ）の通り、巻尺線状体１は、長さ方向１００に沿って、周面に目盛１ａ〜１ｄが標記される。巻尺線状体１は、図示しないプリント機を用いて、目盛１ａ〜１ｄを周面にプリントする。目盛１ａは、長さ方向１００に沿って、１ｃｍ毎に短直線で標記される。目盛１ｂは、長さ方向１００に沿って、１０ｃｍ毎に短直線及び数字で標記される。図２（Ａ）では、目盛１ｂは、センサー部２から５０ｃｍ及び６０ｃｍが標記されている。目盛１ｃは、目盛１ｂ，１ｂの中間に設けられ、５ｃｍ毎に計測しやすいように矢印で標記されている。これら目盛１ａ〜１ｃは、黒色で標記される。
【００１５】
目盛１ｄは、長さ方向１００に沿って、１ｍ毎に短直線及び数字で標記される。図２（Ｂ）では、目盛１ｄは、センサー部２から８ｍの点で標記されており、短直線を挟んで７と８が標記され、この目盛１ｄから図左側は７ｍ台の目盛、図右側は８ｍ台の目盛であることを標記している。この目盛１ｄは、計測し易いように赤色で標記される。
上記の通り、巻尺線状体１は、長さ方向１００に沿って１ｃｍ及び１０ｃｍ毎に目盛が標記されているので、１ｃｍ毎の詳細な水位測定ができる。
【００１６】
図２（Ｃ）の通り、巻尺線状体１は、断面形状が円形状で構成されている。これにより、井戸の内壁面等との接触面積が小さくなり、センサー部２を下ろす際、巻尺線状体１が井戸の内壁面等に密着して貼り付くことがない。また、巻尺線状体１は、長さ方向１００に沿って、内部に複数本のワイヤー１０が配線されている。後述の通り、ワイヤー１０は、センサー部２に接続される。
【００１７】
図３の通り、巻尺線状体１は、ワイヤー１０が報知部３に接続される。報知部３は、電源部３０、アラーム３１及びランプ３２を備える。センサー部２は、キャップ２０を備える。キャップ２０は、巻尺線状体１の先端部１０１に取付けられる。センサー部２は、電極となる筒状電極部２１を備える。筒状電極部２１は、キャップ２０に嵌め込み固定される。センサー部２は、筒状電極部２１の内部に電極となる電極端子部２２を備える。電極端子部２２は、絶縁体である取付具２３を介して固定される。
【００１８】
筒状電極部２１及び電極端子部２２は、巻尺線状体１のワイヤー１０にそれぞれ接続される。電極端子部２２が水面Ｗに浸かると、水面Ｗを通じて、筒状電極部２１と電極端子部２２との間に電流が流れ、報知部３のアラーム３１及びランプ３２が起動する。
なお、筒状電極部２１は、水切れを良くするために空気孔（図示略）を備えても良い。また、センサー部２に温度計（図示略）を備えて、報知部３に水温を表示することもできる。
【００１９】
使用者がこの水位計を使用するとき、巻尺線状体１を巻取部４から引き出し、センサー部２を井戸等の水位を測定する水面Ｗに向けて下ろしていく。そして、センサー部２が水面Ｗに接すると、報知部３からアラーム及びランプ３２が起動して報知し、巻尺線状体１の引き出しを止める。その時点で、使用者は、巻尺線状体１の目盛１ａ〜１ｄを読んで、地表面から水面Ｗまでの距離を測定する。測定後、使用者は、レバー部５を操作して巻取部４を回転しながら巻尺線状体１を巻取部４に巻き取る。
【図面の簡単な説明】
【００２０】
【図１】本考案に係る水位計を示す斜視図である。
【図２】巻尺線状体を示す図であって、（Ａ）は１ｃｍ及び１０ｃｍ毎の目盛を示す拡大図、（Ｂ）は１ｍ毎の目盛を示す拡大図、（Ｃ）は（Ａ）のＩ−Ｉ線断面図である。
【図３】センサー部を示す断面図である。
【符号の説明】
【００２１】
１  巻尺線状体
２  センサー部
３  報知部
４  巻取部
５  レバー部
１ａ〜１ｄ  目盛
１００  長さ方向
【図１】
0003148373.tif 000003
【図２】
0003148373.tif 000004
【図３】
0003148373.tif 000005